(57)【要約】      （修正有）【課題】セッティングの際に更なる調整が効き、スタンド脚が障害になることを回避できるとともに、例えばスタンド脚が二つの場合であっても、スタンド本体が不安定化することを回避できる楽器用スタンドの脚装置を提供する。【解決手段】スタンド本体７の外周面に対し、軸中心に左右回動可能に被着される支持具本体３０と、一端部が支持具本体３０外周部にスタンド本体の軸と平行な軸を中心に左右回動可能に枢着され、且つ他端部にスタンド脚端部がスタンド本体の軸に直交する軸を中心に上下回動可能に枢着される軸受け部を有する連結部材３２とを備え、支持具本体３０のスタンド本体７に対する回動角度と連結部材３２の支持具本体３０に対する回動角度とを調整することで、スタンド脚２についてスタンド本体７の軸を中心とした左右回動位置と支持具本体３０の外周部の軸を中心とした左右回動角度との双方を調整可能とした。【選択図】図１
2014077874.tif 000002
【特許請求の範囲】
【請求項１】
スタンド本体から床面に延びる二つ以上のスタンド脚と、これらスタンド脚を前記スタンド本体に対して折り畳み可能に取り付ける支持具とからなり、前記スタンド本体の下端に連結されるペダル装置とともに該スタンド本体を支持する楽器用スタンドの脚装置において、
前記支持具を、
前記スタンド本体の外周面に対し、該スタンド本体の軸を中心とした左右方向に回動可能に被着される支持具本体と、
一端部が前記支持具本体の外周部に前記スタンド本体の軸と平行な軸を中心とした左右方向に回動可能に枢着され、且つ他端部に前記スタンド脚の端部が前記スタンド本体の軸に直交する軸を中心とした上下方向に回動可能に枢着される軸受け部を有する連結部材とより構成し、
前記支持具本体のスタンド本体に対する回動角度及び前記連結部材の支持具本体に対する回動角度を調整することにより、該連結部材に枢着されたスタンド脚における前記スタンド本体の軸を中心とした左右回動位置と前記支持具本体の外周部の軸を中心とした左右回動角度との双方を調整可能としたことを特徴とする楽器用スタンドの脚装置。
【請求項２】
前記支持具本体を、
外周部に、前記連結部材の一端部に設けられたスタンド本体の軸と平行に延びる軸部を左右回動可能に支持する軸受け部、及びスタンド本体の軸中心に向かって内周面側に貫通したねじ孔を有する支持部材と、
前記支持部材のねじ孔に螺合され、貫通したねじ先端が直接又は押圧部材を介してスタンド本体の外周面を押圧する締め付けねじ、
前記支持部材の軸受け部に対面して該軸受け部と共に連結部材の前記軸部を受け入れて左右回動可能に支持する軸受け部を有するとともに、少なくとも前記スタンド本体に対して前記締め付けねじと反対側の位置に、該スタンド本体の外周面に直接又は押圧部材を介して当止する当止部を有する当て止め部材とより構成し、
前記締め付けねじを締め付けてスタンド本体の外周面を押圧することにより、前記支持部材が締め付けねじ方向に移動して該支持部材の軸受け部が連結部材の軸部を当該方向に引き寄せ、これに伴い該軸部を支持している前記当て止め部材の軸受け部も同時に当該方向に引き寄せられて前記当止部がスタンド本体の外周面に直接又は押圧部材を介して当止し、これにより前記軸部に作用する前記支持部材による引き寄せ力と当て止め部材による反対方向への抵力とで前記軸部が回動不能に固定されるとともに、前記スタンド本体の外周面に対して前記締め付けねじ先端による押圧力と前記当て止め部材の当止部による当止力とが直接又は押圧部材を介して作用し、これにより当該支持具本体が回動不能に固定される請求項１記載の楽器用スタンドの脚装置。
【請求項３】
前記支持具本体を、前記スタンド本体の外周面に対し軸方向にスライド可能に被着してなり、前記締め付けねじを締め付けてスタンド本体の外周面を押圧することにより、当該支持具本体が前記回転不能に固定されると同時に軸方向にスライド不能に固定される請求項２記載の楽器用スタンドの脚装置。
【請求項４】
前記スタンド脚を、下端が床面に設置され且つ上端が前記スタンド本体に取り付けられる支持脚と、該支持脚の途中部に一端が連結され、他端が前記支持脚の上端よりも下方の位置で同じくスタンド本体に取り付けられる連結ステーとから構成し、
前記スタンド本体の軸方向に沿って前記支持具を二つ設けるとともに、
これら支持具のうち上側の第一の支持具をスタンド本体の軸方向に沿ってスライド可能とし、
該第一の支持具に前記支持脚を取り付け、
下側の第二の支持具に前記連結ステーを取り付け、
第一の支持具を上側にスライドさせることにより、スタンド脚がスタンド本体に沿った折り畳み姿勢となる請求項１〜３の何れか１項に記載の楽器用スタンドの脚装置。
【請求項５】
請求項１〜４の何れか１項に記載の脚装置を備える楽器用スタンド。
【請求項６】
請求項１〜４の何れか１項に記載の脚装置に用いる支持具であって、前記支持具本体と、前記連結部材とより構成してなり、前記支持具本体のスタンド本体に対する回動角度及び各連結部材の支持具本体に対する回動角度を調整することにより、前記連結部材に枢着されたスタンド脚における前記スタンド本体の軸を中心とした左右回動位置と前記支持具本体の外周部の軸を中心とした左右回動角度との双方を調整可能とする支持具。
【発明の詳細な説明】
【技術分野】
【０００１】
本発明は、シンバル演奏用のハイハットスタンド等に好適な楽器用スタンドの脚装置に関する。
【背景技術】
【０００２】
例えばハイハットスタンドは、二つ以上のスタンド脚とペダルフレームによりスタンド本体を支持しており、各スタンド脚はスタンド本体に対し支持具を介して折り畳み可能に取り付けられている。スタンド脚は、スタンド本体の周りに略等角度（１２０°）をおいて三つ配され、その間の位置に配されるペダルフレームとともにスタンド本体を安定した状態に支持している。
【０００３】
しかしながら、１２０°間隔の三つのスタンド脚の間にペダルが配されるため、ペダル周りが煩雑になってペダル操作時に足がスタンド脚に当たったり、特に複数の楽器を並べて演奏する場合にはスタンド脚が邪魔になってセッティングの障害になるといった問題があった。特に、ハイハットスタンドにバスドラムやスネアドラムなどの複数の楽器を隣接させてセッティングする際、スタンド脚が邪魔になって近接させることができない場合があった。
【０００４】
これに対し、スタンド脚の数を二つにして煩雑さを解消したもの（例えば、特許文献１、２参照。）や、スタンド脚を取り付けている支持具をスタンド脚と共にスタンド本体の軸を中心に左右方向に回動可能とし、これによりセッティングの際にスタンド脚が邪魔になったとき全体を左右に回動させて障害となることを回避したり足が当たりにくい好みの位置に調整できるように構成したもの（例えば、特許文献３、４参照。）も提供されている。
【０００５】
しかし、スタンド脚の数を二つに減らしても位置が固定されているとセッティングの際に調整が効かず障害になる場合があり、また支持具と共にスタンド脚を左右に回動させてセッティングの障害となることを回避するものについても、位置が固定されている場合に比べて比較的調整が効くものの尚十分ではなく、どのように回動させても邪魔になる場合もあり、またスタンド脚が二つの場合にこのように支持具と共にスタンド脚を左右に回動させると、ペダルフレームとの関係でスタンド本体が不安定化する虞もある。
【先行技術文献】
【特許文献】
【０００６】
【特許文献１】実開昭５３−１０１５３３号公報
【特許文献２】特開平１１−９５７４４号公報
【特許文献３】特開平１０−２３２６７０号公報
【特許文献４】特開２００１−１０９４６６号公報
【発明の概要】
【発明が解決しようとする課題】
【０００７】
そこで、本発明が前述の状況に鑑み、解決しようとするところは、セッティングの際に更なる調整が効き、スタンド脚が障害になることを回避できるとともに、例えばスタンド脚が二つの場合であっても、スタンド本体が不安定化することを回避できる楽器用スタンドの脚装置、該脚装置を備える楽器用スタンド、及び前記脚装置に用いる支持具を提供する点にある。
【課題を解決するための手段】
【０００８】
本発明は、前述の課題解決のために、スタンド本体から床面に延びる二つ以上のスタンド脚と、これらスタンド脚を前記スタンド本体に対して折り畳み可能に取り付ける支持具とからなり、前記スタンド本体の下端に連結されるペダル装置とともに該スタンド本体を支持する楽器用スタンドの脚装置において、前記支持具を、前記スタンド本体の外周面に対し、該スタンド本体の軸を中心とした左右方向に回動可能に被着される支持具本体と、一端部が前記支持具本体の外周部に前記スタンド本体の軸と平行な軸を中心とした左右方向に回動可能に枢着され、且つ他端部に前記スタンド脚の端部が前記スタンド本体の軸に直交する軸を中心とした上下方向に回動可能に枢着される軸受け部を有する連結部材とより構成し、前記支持具本体のスタンド本体に対する回動角度及び前記連結部材の支持具本体に対する回動角度を調整することにより、該連結部材に枢着されたスタンド脚における前記スタンド本体の軸を中心とした左右回動位置と前記支持具本体の外周部の軸を中心とした左右回動角度との双方を調整可能としたことを特徴とする楽器用スタンドの脚装置を構成した。
【０００９】
ここで、前記支持具本体を、外周部に、前記連結部材の一端部に設けられたスタンド本体の軸と平行に延びる軸部を左右回動可能に支持する軸受け部、及びスタンド本体の軸中心に向かって内周面側に貫通したねじ孔を有する支持部材と、前記支持部材のねじ孔に螺合され、貫通したねじ先端が直接又は押圧部材を介してスタンド本体の外周面を押圧する締め付けねじ、前記支持部材の軸受け部に対面して該軸受け部と共に連結部材の前記軸部を受け入れて左右回動可能に支持する軸受け部を有するとともに、少なくとも前記スタンド本体に対して前記締め付けねじと反対側の位置に、該スタンド本体の外周面に直接又は押圧部材を介して当止する当止部を有する当て止め部材とより構成し、前記締め付けねじを締め付けてスタンド本体の外周面を押圧することにより、前記支持部材が締め付けねじ方向に移動して該支持部材の軸受け部が連結部材の軸部を当該方向に引き寄せ、これに伴い該軸部を支持している前記当て止め部材の軸受け部も同時に当該方向に引き寄せられて前記当止部がスタンド本体の外周面に直接又は押圧部材を介して当止し、これにより前記軸部に作用する前記支持部材による引き寄せ力と当て止め部材による反対方向への抵力とで前記軸部が回動不能に固定されるとともに、前記スタンド本体の外周面に対して前記締め付けねじ先端による押圧力と前記当て止め部材の当止部による当止力とが直接又は押圧部材を介して作用し、これにより当該支持具本体が回動不能に固定されるものが好ましい。
【００１０】
特に、前記支持具本体を、前記スタンド本体の外周面に対し軸方向にスライド可能に被着してなり、前記締め付けねじを締め付けてスタンド本体の外周面を押圧することにより、当該支持具本体が前記回転不能に固定されると同時に軸方向にスライド不能に固定されるものが好ましい。
【００１１】
また、前記スタンド脚を、下端が床面に設置され且つ上端が前記スタンド本体に取り付けられる支持脚と、該支持脚の途中部に一端が連結され、他端が前記支持脚の上端よりも下方の位置で同じくスタンド本体に取り付けられる連結ステーとから構成し、前記スタンド本体の軸方向に沿って前記支持具を二つ設けるとともに、これら支持具のうち上側の第一の支持具をスタンド本体の軸方向に沿ってスライド可能とし、該第一の支持具に前記支持脚を取り付け、下側の第二の支持具に前記連結ステーを取り付け、第一の支持具を上側にスライドさせることにより、スタンド脚がスタンド本体に沿った折り畳み姿勢となるものが好ましい。
【００１２】
また本発明は、上記した脚装置を備える楽器用スタンドをも提供する。
【００１３】
また本発明は、上記した脚装置に用いる支持具であって、前記支持具本体と、前記連結部材とより構成してなり、前記支持具本体のスタンド本体に対する回動角度及び各連結部材の支持具本体に対する回動角度を調整することにより、前記連結部材に枢着されたスタンド脚における前記スタンド本体の軸を中心とした左右回動位置と前記支持具本体の外周部の軸を中心とした左右回動角度との双方を調整可能とする支持具をも提供する。
【発明の効果】
【００１４】
以上にしてなる本願発明によれば、支持具本体のスタンド本体に対する回動角度及び連結部材の支持具本体に対する回動角度を調整することにより、連結部材に枢着されたスタンド脚について、スタンド本体の軸を中心とした左右回動位置と支持具本体の外周部の軸を中心とした左右回動角度との双方が調整可能であるので、セッティングの際、スタンド脚の位置の更なる調整が効き、スタンド脚が障害になることを回避できるとともに、スタンド脚が二つの場合でもスタンド本体が不安定化することを回避することができる。
【００１５】
また、支持具本体を、外周部に、連結部材の一端部に設けられたスタンド本体の軸と平行に延びる軸部を左右回動可能に支持する軸受け部、及びスタンド本体の軸中心に向かって内周面側に貫通したねじ孔を有する支持部材と、支持部材のねじ孔に螺合され、貫通したねじ先端が直接又は押圧部材を介してスタンド本体の外周面を押圧する締め付けねじ、支持部材の軸受け部に対面して軸受け部と共に連結部材の軸部を受け入れて左右回動可能に支持する軸受け部を有するとともに、少なくともスタンド本体に対して締め付けねじと反対側の位置に、該スタンド本体の外周面に直接又は押圧部材を介して当止する当止部を有する当て止め部材とより構成し、締め付けねじを締め付けてスタンド本体の外周面を押圧することにより、支持部材が締め付けねじ方向に移動して該支持部材の軸受け部が連結部材の軸部を当該方向に引き寄せ、これに伴い該軸部を支持している前記当て止め部材の軸受け部も同時に当該方向に引き寄せられて前記当止部がスタンド本体の外周面に直接又は押圧部材を介して当止し、これにより前記軸部に作用する前記支持部材による引き寄せ力と当て止め部材による反対方向への抵力とで前記軸部が回動不能に固定されるとともに、前記スタンド本体の外周面に対して前記締め付けねじ先端による押圧力と前記当て止め部材の当止部による当止力とが直接又は押圧部材を介して作用し、これにより当該支持具本体が回動不能に固定されるので、締め付けねじ一つの操作で連結部材の軸部と支持具本体の双方が固定され、操作性が著しく向上するとともに、前記軸部と支持具本体を強固な力で固定することができる。
【００１６】
また、支持具本体を、スタンド本体の外周面に対し軸方向にスライド可能に被着してなり、締め付けねじを締め付けてスタンド本体の外周面を押圧することにより、当該支持具本体が前記回転不能に固定されると同時に軸方向にスライド不能に固定されるので、脚の折り畳みも同じ締め付けねじを用いて効率よく行うことができる。
【００１７】
また、前記スタンド脚を、下端が床面に設置され且つ上端が前記スタンド本体に取り付けられる支持脚と、該支持脚の途中部に一端が連結され、他端が前記支持脚の上端よりも下方の位置で同じくスタンド本体に取り付けられる連結ステーとから構成し、前記スタンド本体の軸方向に沿って前記支持具を二つ設けるとともに、これら支持具のうち上側の第一の支持具をスタンド本体の軸方向に沿ってスライド可能とし、該第一の支持具に前記支持脚を取り付け、下側の第二の支持具に前記連結ステーを取り付け、第一の支持具を上側にスライドさせることにより、スタンド脚がスタンド本体に沿った折り畳み姿勢となるので、スタンド脚の位置を調整する場合は、第一の支持具の締め付けねじと第二の支持具の締め付けねじの双方を緩め、双方の支持具本体を回動させたり、双方の連結部材を支持具本体に対して同じだけ左右に回動させてスタンド脚の位置が決まれば双方の締め付けねじを締め付けて容易に固定することができる。また脚装置を折り畳む際には、第一の支持具の同じ締め付けねじのみ緩め、第一の支持具を上方にスライドさせればスタンド脚を折り畳むことができ、この際、スタンド脚の左右の位置は第二の支持具により固定されたまま維持されるので、次回使用する際にもスタンド脚は同じ位置にセッティングできる。
【図面の簡単な説明】
【００１８】
【図１】本発明の脚装置を有するハイハットスタンドの全体構成図。
【図２】同じくハイハットスタンドの脚装置の要部を示す斜視図。
【図３】同じく脚装置の要部の分解斜視図。
【図４】同じく脚装置の要部の縦断面図。
【図５】同じく他の縦断面図。
【図６】同じく脚装置のスタンド脚の調整の様子を示す横断面図。
【図７】同じく横断面図。
【図８】同じくハイハットスタンドの脚装置の要部を示す斜視図。
【図９】同じく脚装置の要部の分解斜視図。
【図１０】同じく脚装置の要部の縦断面図。
【図１１】同じく脚装置のスタンド脚の調整の様子を示す横断面図。
【図１２】同じく横断面図。
【図１３】（ａ）は同じく脚装置における力の作用を示す模式図、（ｂ）は変形例の模式図。
【図１４】（ａ）は他の変形例の模式図、（ｂ）は更に他の変形例の模式図、（ｃ）は更に他の変形例の模式図、（ｄ）は更に他の変形例の模式図。
【図１５】（ａ）は更に他の変形例の模式図、（ｂ）は更に他の変形例の模式図。
【図１６】更に他の変形例の模式図。
【図１７】（ａ）は同じくハイハットスタンドのペダル装置の要部を示す説明図、（ｂ）はその折り畳みの様子を示す説明図。
【図１８】同じくハイハットスタンドの脚装置及びペダル装置を折り畳んだ状態を示す全体図。
【発明を実施するための形態】
【００１９】
次に、本発明の実施形態を添付図面に基づき詳細に説明する。尚、以下の実施形態においては、本発明に係る脚装置をハイハットスタンドに適用した例について説明するが、本発明はこれに限定されるものではなく、楽器用のスタンド全般に適用することができる。
【００２０】
本発明の一実施形態としてのハイハットスタンドＨは、図１に示すように、上部に楽器であるシンバル８０、８１を支持するスタンド本体７と、シンバルの演奏を行うペダル装置４と、スタンド本体７を支持する折畳み自在な脚装置１とで構成されている。本例では主に金属材料より構成しているが、特に限定されるものではない。
【００２１】
スタンド本体７は、下パイプ７０と、この下パイプ７０の上部に挿通され、蝶ねじ７５によって高さ調整可能に支持される上パイプ７１と、この下パイプ７０及び上パイプ７１の内部に挿着され、下方に突出して連結したペダル４１の踏み込み操作により昇降され、上方に突出した部位に上部シンバル８１が保持される昇降ロッド７２と、下パイプ７０内に内装され、昇降ロッド７２を上方に付勢して上部シンバル８１を下部シンバル８０から離間させる図示しないコイルばねと、コイルばね張力を調節するばね張力調整装置７６とより構成されている。
【００２２】
下部シンバル８０は上パイプ７１の上端部に設けられるシンバル受け具７３に支持され、上部シンバル８１は上パイプ７１の上端から突出している昇降ロッド７２上端部に固定されるシンバル保持具７４により保持されている。そして、ペダル４１を踏み込むことにより昇降ロッド７２がコイルばねに抗して引き下げられ、昇降ロッド７２と一体に上部シンバル８１も下降してシンバル受け具７３に支持されている下部シンバル８０を衝打する。
【００２３】
脚装置１は、スタンド本体７から床面に延びる二つのスタンド脚２，２と、これらスタンド脚２，２をスタンド本体７に対して折り畳み可能に取り付ける支持具３Ａ，３Ｂとから構成され、スタンド本体７の下端に連結されるペダル装置４とともにスタンド本体７を支持している。各スタンド脚２は、下端が床面に設置され且つ上端部２０ａが支持具３Ａを介してスタンド本体７の下パイプ７０に取り付けられる支持脚２０と、該支持脚２０の途中部に一端が連結され、他端部２１ａが支持脚２０の上端よりも下方の位置で支持具３Ｂを介して下パイプ７０に取り付けられる連結ステー２１とより構成されている。
【００２４】
第一の支持具３Ａはスタンド本体７の下パイプ７０の軸方向に沿ってスライド可能に被着され、この第一の支持具３Ａに支持脚２０の前記上端部２０ａが上下回動可能に枢支され、下側の第二の支持具３Ｂに連結ステー２１の前記他端部２１ａが同じく上下回動可能に枢支されている。第一の支持具３Ａを上側にスライドさせることにより、図１８に示すようにスタンド脚２が下パイプ７０に沿った折り畳み姿勢に姿勢変更される。尚、スタンド脚を他の構造として一つ又は二つ以上の支持具で折り畳み可能に構成してもよい。本例の脚装置１はスタンド脚２を二つ設けたものであるが、後述するように三つ以上設けたものでもよい。
【００２５】
第一の支持具３Ａは、図２〜図７に示すように、スタンド本体７の下パイプ７０の外周面に対し、該下パイプ７０の中心軸を中心に左右に回動可能で且つ該軸に沿った方向にスライド可能に被着される支持具本体３０と、一端部が支持具本体３０の外周部３０ａに下パイプ７０の軸と平行な軸を中心とした左右方向に回動可能に枢着され、且つ他端部に前記スタンド脚２の端部２ａが下パイプ７０の軸に直交する軸３２ｄを中心とした上下方向に回動可能に枢着される軸受け部３２ａを備える連結部材３２、３２とより構成されている。
【００２６】
図２に示すように、支持具本体３０を下パイプ７０に対して左右に回動させる角度θ１と、各連結部材３２を支持具本体３０に対して左右に回動させる角度θ２、θ３を調整することにより、各スタンド脚２における下パイプ７０の軸を中心とした左右回動位置と、支持具本体３０の外周部３０ａの軸を中心とした左右回動角度との双方を調整することができる。
【００２７】
支持具本体３０は、より具体的には、図３〜図５に示すように、下パイプ７０の外周面に略平行な略Ｃ字状の内周面３０ｂを有し、且つ外周部３０ａに連結部材３２の一端部に設けられた下パイプ７０の軸と平行に延びる軸部３２ｂを左右回動可能に支持する軸受け部５５、５５、及び下パイプ７０の軸中心に向かって内周面側に貫通して設けられるねじ孔５６を有する支持部材５４と、ねじ孔５６に螺合され、貫通したねじ先端が曲面状の当て板３６及び押圧部材３５を介してスタンド本体７の下パイプ７０外周面を押圧する締め付けねじ３３Ａと、軸受け部３１ａ、３１ａを有し、且つ少なくとも下パイプ７０に対して締め付けねじ３３Ａと反対側の位置に、該下パイプ７０外周面に略平行な内周面よりなる当止部３１ｂを有する当て止め部材３１とより構成されている。
【００２８】
当て止め部材３１の軸受け部３１ａは、支持部材５４の軸受け部５５に対面し該軸受け部５５と共に各連結部材３２の軸部３２ｂを受け入れて左右回動可能に支持するものである。本例では、当て止め部材３１を、連結部材３２を上下から挟み込むように上下に二つ設けたが、一つで構成することも可能である。
【００２９】
連結部材３２の軸部３２ｂは、連結部材３２の一端部に形成した貫通孔３２ｃにピン５３を圧入し、該ピン５３の上下に突出した部位を軸部としたものであり、図３に示すように、支持部材５４に対して当て板３６や押圧部材３５、当て止め部材３１を組み込む際、支持部材５４と当て止め部材３１の各軸受け部５５、３１ａに前記ピン５３を挿通して貫通孔３２ｃに圧入することにより連結部材３２が左右回動可能に組み付けられる。
【００３０】
ここで、圧入ではなくねじ止め等で固定してもよい。また支持部材５４への組み付けが可能であれば軸部３２ｂを一体形成したものでもよい。この軸部３２ｂを支持する外周部３０ａの軸受け部５５は、略Ｃ字状の支持部材５４の両端部にそれぞれ軸部３２ｂを枢支する上下一対の環状支持部５５ａ、５５ａを設けたものであり、この上下の環状支持部５５ａ，５５ａの間に連結部材３２の一端側と上下一対の当て止め部材３１、３１の各軸受け部３１ａ，３１ａとが介装される。
【００３１】
支持部材５４に設けられるねじ孔５６は、本例では支持部材５４の内周側に開口する溝部５７に回転不能に装着されるナット３４の雌ねじと、該雌ねじに連通し外周面に開口する通孔５８とより構成され、通孔５８から締め付けねじ３３Ａを挿通して前記ナットの雌ねじに螺合する構造とされている。尚、このようなナット３４の雌ねじよりねじ孔５６を構成すること以外に直接、支持部材５４にねじ孔を穿設してもよい。締め付けねじ３３Ａは蝶ねじであり、脚の角度調整や折り畳みの際に容易に操作できる構造とされている。
【００３２】
押圧部材３５は、下パイプ７０の外周面に直接密着することとなる内周面を有する筒状の合成樹脂成形体であり、支持部材５４及び当て止め部材３１より環状に構成される支持具本体３０の内側に装着される。押圧部材３５の締め付けねじ３３Ａ先端が当たる側には、略半周にわたって周方向に延びる２本の貫通したスリット溝とその一端同士を接続した軸方向に延びる貫通したスリット溝よりなるコ字状のスリット溝５９が形成され、該スリット溝５９に囲まれた部位により、締め付けねじ３３Ａ先端部に押されて縮径しながら内側に変形し下パイプ７０の外周面に密着する密着片６０が形成されている。締め付けねじ３３Ａによる押圧力は、当該密着片６０を介して下パイプ７０の外周面に面的に作用し、左右回動及び上下スライド動作をスムーズ且つ確実に摩擦係止する。
【００３３】
押圧部材３５の前記密着片６０の下側には、上記溝部５７の下部に挿入されて同じく溝部５７に装着される前記ナット３４を下方から支持する落下防止用の支持台６１が突設され、また支持台６１と反対側の当て止め部材３１が当接する側には、上下二つの当て止め部材３１の間の位置にこれら当て止め部材３１があばれて位置ずれしないようにスペーサ突起６２が設けられている。当て板３６は締め付けねじ３３Ａ先端部の角部などが局所的に押圧部材３５を押して傷付けることを未然に防止し、安定的に押圧するためのものであるが、省略することも勿論可能である。また本例では、締め付けねじ３３Ａ及び当て止め部材３１の当止部３１ｂが押圧部材３５を介して下パイプ７０を押圧しているが、このような押圧部材３５を省略し、直接的にスタンド本体７（下パイプ７０）を押圧するように構成してもよい。
【００３４】
このような支持具３Ａにおいて、締め付けねじ３３Ａを締め付けて下パイプ７０の外周面を押圧部材３５を介して押圧すると、支持部材５４が締め付けねじ３３Ａのある方向に移動し、該支持部材５４の軸受け部５５が連結部材３２の軸部３２ｂを当該方向に引き寄せるとともに、該軸部３２ｂを支持している当て止め部材３１の軸受け部３１ａも同時に当該方向に引き寄せられ、これにより該当て止め部材３１の当止部３１ｂが下パイプ７０外周面に押圧部材３５を介して当止され、それ以降、軸部３２ｂに対して軸受け部３１ａからの抵力が生じる。
【００３５】
すなわち、支持具本体３０の締め付けねじ３３Ａを締め付けると、図１３（ａ）に示すように、各連結部材３２の軸部３２ｂには、支持部材５４による締め付けねじ方向への引き寄せ力Ｆb（Ｆc）と当て止め部材３１による反対方向への抵力ｆb（ｆc）とが作用し、これにより各軸部３２ｂが回動不能に固定される。また、前記下パイプ７０の外周面には、締め付けねじ先端による押圧力Ｆaと前記当て止め部材３１の当止部３１ｂによる当止力ｆaとが押圧部材を介して作用し、これにより当該支持具本体３０も同時に回動不能且つ上下スライド不能に固定される。つまり、締め付けねじ一つを操作するだけで、図６及び図７にも示すように各連結部材３２の支持具本体３０に対する回動、支持具本体３０の下パイプ７０に対する回動及び上下スライドのすべての動作を調整可能に緩めたり又は固定したりすることができる構造とされている。
【００３６】
本例では軸受け部５５（環状支持部５５ａ）及び軸受け部３１ａをいずれも円形孔とし、それぞれ単独でも連結部材の軸部３２ｂを回動可能に支持できる構造とされているが、軸受け部５５の少なくとも引き寄せ力Ｆb（Ｆc）が作用する側に軸部３２ｂを回動可能に支持する内周壁を有し、軸受け部３１ａの少なくとも抵力ｆb（ｆc）が作用する側に軸部３２ｂを回動可能に支持する内周壁を有し、これらを上下重ねた状態で軸受け部５５の内周壁と軸受け部３１ａの内周壁とで略円形の孔が形成されるものであれば、軸受け部５５、３１ａの何れか一方又は双方を少なくとも前記内周壁を備える円形以外の孔とすることも可能である。
【００３７】
また、支持部材５４は、本例では略Ｃ字状の内周面を有するものとしたが、締め付けねじ３３Ａを締め付ける際に当て止め部材３１の当止部３１ｂが支持部材５４内周面よりも先に当たって軸部３２ｂに抗力ｆb（ｆc）を生じさせるものであれば、その他の形状とすることもでき、例えば図１３（ｂ）に示すように長円状の環状内周面を有するものも可能である。
【００３８】
本例ではスタンド脚２が二つの場合の例であるが、三つ以上の場合も同様に構成することで締め付けねじ一つを操作するだけで各連結部材の支持具本体に対する回動、支持具本体の下パイプに対する回動及び上下スライドのすべての動作を調整可能に緩めたり又は固定したりすることができる構造が可能である。図１４（ａ）は三つのスタンド脚を１２０度おきに設けた例であり、この場合、ペダル装置は脚としての充分な支持強度を備える必要は必ずしもない。図１４（ｂ）は三つのスタンド脚を９０度おきに設け、ペダル装置とともに四脚を構成する例である。
【００３９】
いずれも支持部材５４の軸受け部、当て止め部材３１の軸受け部を三つ設け、同様に各連結部材の軸部３２ｂに支持部材５４による締め付けねじ方向への引き寄せ力Ｆb（Ｆc，Ｆd）と当て止め部材３１による反対方向への抵力ｆb（ｆc，ｆd）とを作用させ、これにより各軸部３２ｂを回動不能に固定するとともに、下パイプ７０の外周面に締め付けねじ先端による押圧力Ｆaと当て止め部材３１の当止部３１ｂによる当止力ｆaとを作用させ、これにより当該支持具本体３０も同時に回動不能且つ上下スライド不能に固定させることができる。
【００４０】
更に、スライド脚が三つ以上の場合においては、一つの当て止め部材３１に各連結部材の軸部３２ｂを支持する軸受け部を三つ設けるのではなく、図１４（ｃ）に示すように、締め付けねじのある部位を除く隣り合う軸部３２ｂ、３２ｂ間にそれぞれ軸受け部を二つ設けた当て止め部材３１、３１を設けることもできる。
【００４１】
この図１４（ｃ）の構造の場合、締め付けねじを締め付けると、各軸部３２ｂには、それぞれ支持部材５４による締め付けねじ方向への引き寄せ力Ｆb（Ｆc，Ｆd）と当て止め部材３１による反対方向への抵力ｆb，（ｆc1及びｆc2，ｆd）とが作用し、これにより各軸部３２ｂが回動不能に固定される。また、前記下パイプ７０の外周面には、締め付けねじ先端による押圧力Ｆaと各当て止め部材３１の当止部３１ｂによる当止力ｆa1（ｆa2）とが押圧部材を介して作用し、これにより当該支持具本体３０も同時に回動不能且つ上下スライド不能に固定される。
【００４２】
更に、同じくスライド脚が三つ以上の場合において、支持部材５４に各連結部材の軸部３２ｂを支持する軸受け部を三つ設けるのではなく、図１４（ｄ）に示すように、支持部材５４を略Ｃ字状の内周面を有する部材とし、締め付けねじのある部位をはさむ二つの軸部３２ｂ、３２ｂを支持する軸受け部を少なくとも設け、他は省略し、当て止め部材３１の軸受け部でのみ支持させることも可能である。
【００４３】
この図１４（ｄ）の構造の場合、当て止め部材３１の軸受け部でのみ支持している軸部３２ｂには締め付けねじを締め付けることにより当て止め部材３１、３１からの引っ張りｆd1、ｆd2が生じて回動不能に固定され、また該軸部３２ｂで互いに連結された各当て止め部材３１には、当止部３１ｂによる当止力ｆa1（ｆa2）が下パイプ外周面に作用し、当該支持具本体３０も同時に回動不能且つ上下スライド不能に固定される。尚、この例では図１４（ｃ）と同様、二つの軸受け部を有する二つの当て止め部材を連結するようにして設けたが、三つの軸部を有する一つの当て止め部材で構成することもできる。
【００４４】
その他の変形例として、例えば図１５（ａ）に示すように当て止め部材３１を省略し、支持部材５４による締め付けねじ方向への引き寄せ力Ｆbと連結部材３２が押圧部材又は下パイプ外周面に当止して生じる抗力により軸部３２ｂを回動不能に固定するものでもよい。また、図１５（ｂ）に示すように、各軸部３２ｂをねじ６４で直接押圧して固定してもよい。更に、本例では連結部材３２の一端部に軸部３２ｂを設け、支持具本体３０側に軸受け部を設けて枢支した構成であるが、反対に支持部材側に軸部を設け、且つ連結部材の一端部に軸受け部を設けたものでもよい。
【００４５】
第二の支持具３Ｂは、図８〜図１２に示すように、スタンド本体７の下パイプ７０の外周面に対し、該下パイプ７０の中心軸を中心に左右に回動可能に被着される支持具本体３０と、一端部が支持具本体３０の外周部３０ａに下パイプ７０の軸と平行な軸を中心とした左右方向に回動可能に枢着され、且つ他端部に前記スタンド脚２の端部２ａが下パイプ７０の軸に直交する軸を中心とした上下方向に回動可能に枢着される軸受け部３２ａを備える連結部材３２、３２とより構成されている。
【００４６】
そして、第一の支持具３Ａの場合と同様、図８、図１１及び図１２に示すように、支持具本体３０を下パイプ７０に対して左右に回動させる角度θ１と、各連結部材３２を支持具本体３０に対して左右に回動させる角度θ２、θ３を調整することにより、各スタンド脚２における下パイプ７０の軸を中心とした左右回動位置と、支持具本体３０の外周部３０ａの軸を中心とした左右回動角度との双方を調整することができる。但し、第一の支持具３Ａとは異なり、支持具本体３０は下パイプ７０の軸に沿った方向へスライド不能、すなわち上下の位置は固定されている。
【００４７】
また、締め付けねじ３３Ｂは、蝶ねじではなく専用工具で操作するボルトとされ、これを囲んで折り畳んだペダルがボルトの頭に当たらないように保護するためのゴム製又は合成樹脂エラストマー製等の保護カバー６３が設けられている。そして、支持具３Ｂにおいても、締め付けねじ３３Ｂを締め付けると、図１３（ａ）に示すように、各連結部材３２の軸部３２ｂに支持部材５４による締め付けねじ方向への引き寄せ力Ｆb（Ｆc）と当て止め部材３１による反対方向への抵力ｆb（ｆc）とが作用し、これにより各軸部３２ｂが回動不能に固定されるとともに、下パイプ７０の外周面に締め付けねじ先端による押圧力Ｆaと当て止め部材３１の当止部３１ｂによる当止力ｆaとが押圧部材を介して作用し、これにより当該支持具本体３０も同時に回動不能に固定される。
【００４８】
つまり、締め付けねじ３３Ｂ一つを操作するだけで、各連結部材３２の支持具本体３０に対する回動、支持具本体３０の下パイプ７０に対する回動の動作を調整可能に緩めたり又は固定したりすることができる構造とされている。その他、第二の支持具３Ｂの構成及び変形例については、第一の支持具３Ａとほぼ同様であるので、同一構造については同一符号を付して説明を省略する。
【００４９】
スタンド脚２の位置を調整する場合、第一の支持具３Ａの締め付けねじ３３Ａと第二の支持具３Ｂの締め付けねじ３３Ｂの双方を緩め、双方の支持具本体３０を下パイプ７０に対して同じだけ左右に回動させたり、双方の連結部材３２を支持具本体３０に対して同じだけ左右に回動させて、二つのスタンド脚２の位置が決まれば双方の締め付けねじ３３Ａ，３３Ｂを締め付けて固定する。脚装置１を折り畳む際には、第一の支持具３Ａの締め付けねじ３３Ａのみ緩め、第一の支持具３Ａを上方にスライドさせることでスタンド脚が折り畳まれる。この際、各スタンド脚の左右の位置は第二の支持具３Ｂにより固定されたまま維持され、次回使用する際にも同じ位置にセッティングできる。
【００５０】
本例では、第一の支持具３Ａと第二の支持具３Ｂをほぼ同じ構造としたが、互いに異なる構成、すなわち一方又は双方を変形例その他の構造としてもよい。また、何れか一方の支持具については、図１６に示すように支持具本体３０の下パイプ７０に対する左右回動のみ固定でき、連結部材３２の支持具本体３０に対する回動については固定できずに常時自由に回動できる構造としてもよい。スタンド脚を左右にぶれることなく確りと保持できる強度を有する連結支持構造を採用すれば、このように一方のスタンド脚の連結部材はフリーにしても他方で固定されることで安定した姿勢を維持することが可能となる。
【００５１】
また、本例ではスタンド脚２のすべてを支持具本体３０に対し連結部材３２を介して回動可能に構成しているが、一部のスタンド脚２を支持具本体３０に対して回動不能に固定してもよい。また、本例の支持具３Ａ，３Ｂはいずれもスタンド本体７を構成している下パイプ７０に被着しているが、一方又は双方をスタンド本体を構成する他の部材（中間パイプ等）に被着させることも勿論可能である。
【００５２】
ペダル装置４は、図１７（ａ）に示すように上端がスタンド本体７の下端に固定され床面上に設置される支持フレーム４０と、支持フレーム４０に対して上下回動可能に枢支され、床面に沿って水平方向に延びる連結フレーム４２と、連結フレーム４２の先端部にヒール部４１ａ（後端部）が上下方向に回動自在に連結されたペダル４１と、ペダル４１の前端部を昇降ロッド７２の下端に連結するベルト等の伝達部材４５とより構成されている。
【００５３】
支持フレーム４０は、上下のフレームと左右の支柱から正面視ロ字状に構成されており、左右の各支柱４０ｂに一対の連結フレーム４２が枢支されている。各連結フレーム４２は、支柱４０ｂの途中部に枢支される端部から床面に向かって斜めに延びて屈曲して床面に沿って水平方向に延びる略Ｌ字状の主フレーム４３と、該主フレーム４３の屈曲部から支持フレーム４０に向かって水平に延出した分岐片４４とから構成されている。
【００５４】
分岐片４４の端部には支柱４０ｂの下端付近の係合孔４０ｃに係合する係合突起４４ａが設けられ、該係合突起４４ａと係合孔４０ｃとの係合により分岐片４４を支持フレーム４０に連結させることで、連結フレーム４２が支持フレーム４０に固定され、ペダル装置４がスタンド本体７を支持する脚として機能する。本例では、分岐片４４が主フレーム４３に対して支持フレーム４０に向かう水平方向に沿って位置調節可能に取り付けられており、これにより例えば分岐片４４を主フレーム４３に対して支持フレーム４０に向かう方向に位置を移動させる調節を行うと、支持フレーム４０から延出する長さが長くなり、この状態で上記のとおり分岐片４４を支持フレーム４０に連結することで、調節前に比べて支持フレーム４０、スタンド本体７及びシンバル８０、８１をペダル側、すなわち演奏者側に傾けることができる。本例では、分岐片４４に前記水平方向に沿った長穴４４ｂを設け、該長穴４４ｂを貫通して主フレーム４３に螺合される固定ネジ４６、４６で分岐片４４を主フレーム４３に固定した構造であり、この固定ネジ４６、４６を緩めることで長穴４４ｂを有する分岐片４４を水平方向に移動可能として、固定ネジ４６、４６で分岐片４４を固定する位置を調節できるように構成しているが、このような構成に何ら限定されない。そして、折り畳みの際には、図１７（ｂ）に示すように前記係合を解除して分岐片４４を支柱４０ｂから切り離し、連結フレーム４２を支持フレーム４０に対して上方に回動させて図１８に示すように下パイプ７０に沿った折り畳み姿勢に姿勢変更させることができる。
【００５５】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００５６】
１  脚装置
２  スタンド脚
２ａ  端部
３Ａ，３Ｂ  支持具
４  ペダル装置
７  スタンド本体
２０  支持脚
２０ａ  端部
２１  連結ステー
２１ａ  端部
３０  支持具本体
３０ａ  外周部
３０ｂ  内周面
３１  当て止め部材
３１ａ  軸受け部
３１ｂ  当止部
３２  連結部材
３２ａ  軸受け部
３２ｂ  軸部
３２ｃ  貫通孔
３２ｄ  軸
３４  ナット
３５  押圧部材
３６  当て板
４０  支持フレーム
４０ｂ  支柱
４０ｃ  係合孔
４１  ペダル
４１ａ  ヒール部
４２  連結フレーム
４３  主フレーム
４４  分岐片
４４ａ  係合突起
４４ｂ  長穴
４５  伝達部材
４６  固定ネジ
５３  ピン
５４  支持部材
５５  軸受け部
５５ａ  環状支持部
５６  ねじ孔
５７  溝部
５８  通孔
５９  スリット溝
６０  密着片
６１  支持台
６２  スペーサ突起
６３  保護カバー
７０  下パイプ
７１  上パイプ
７２  昇降ロッド
７３  シンバル受け具
７４  シンバル保持具
７６  張力調整装置
８０  下部シンバル
８１  上部シンバル
Ｈ  ハイハットスタンド
【図１】
2014077874.tif 000003
【図２】
2014077874.tif 000004
【図３】
2014077874.tif 000005
【図４】
2014077874.tif 000006
【図５】
2014077874.tif 000007
【図６】
2014077874.tif 000008
【図７】
2014077874.tif 000009
【図８】
2014077874.tif 000010
【図９】
2014077874.tif 000011
【図１０】
2014077874.tif 000012
【図１１】
2014077874.tif 000013
【図１２】
2014077874.tif 000014
【図１３】
2014077874.tif 000015
【図１４】
2014077874.tif 000016
【図１５】
2014077874.tif 000017
【図１６】
2014077874.tif 000018
【図１７】
2014077874.tif 000019
【図１８】
2014077874.tif 000020